(57)【要約】【課題】  使用者のユーザ種別に応じて、モニタに表示するダイアログの表示形態を変化させること。【解決手段】  ダイアログ表示部１０５ｂは、ユーザ種別判定部１０５ａで判定した使用者のユーザ種別に基づいて、モニタ１０９に表示するダイアログの表示形態を変化させる。【選択図】      図１
2006285433.tif 000002
【特許請求の範囲】
【請求項１】
アプリケーションから出力される使用者へのメッセージをモニタ上にダイアログ表示する情報表示装置であって、
使用者のユーザ種別を判定するユーザ種別判定手段と、
前記ユーザ種別判定手段で判定した前記ユーザ種別に基づいて、前記ダイアログの表示形態を変化させるダイアログ表示手段とを備えることを特徴とする情報表示装置。
【請求項２】
請求項１に記載の情報表示装置において、
前記ユーザ種別判定手段は、使用者を特定ユーザと一般ユーザとに分類してユーザ種別を判定し、
前記ダイアログ表示手段は、前記ユーザ種別が特定ユーザである場合に、前記ダイアログを強調表示することを特徴とする情報表示装置。
【請求項３】
アプリケーションから出力される使用者へのメッセージをモニタ上にダイアログ表示する情報表示装置であって、
実行中のアプリケーションの実行優先度を判定する優先度判定手段と、
前記優先度判定手段で判定した前記アプリケーションの実行優先度に基づいて、前記ダイアログの表示形態を変化させるダイアログ表示手段とを備えることを特徴とする情報表示装置。
【請求項４】
請求項３に記載の情報表示装置において、
前記ダイアログ表示手段は、前記優先度判定手段で判定した前記アプリケーションの実行優先度が最も高い優先度である場合に、前記ダイアログを強調表示することを特徴とする情報表示装置。
【請求項５】
アプリケーションから出力される使用者へのメッセージをモニタ上にダイアログ表示する情報表示装置であって、
使用者のユーザ種別を判定するユーザ種別判定手段と、
実行中のアプリケーションの実行優先度を判定する優先度判定手段と、
前記ユーザ種別判定手段で判定した前記ユーザ種別と、前記優先度判定手段で判定した前記アプリケーションの実行優先度との組み合わせパターンに基づいて、前記ダイアログの表示形態を変化させるダイアログ表示手段とを備えることを特徴とする情報表示装置。
【請求項６】
請求項５に記載の情報表示装置において、
前記ユーザ種別判定手段は、使用者を特定ユーザと一般ユーザとに分類してユーザ種別を判定し、
前記ダイアログ表示手段は、前記ユーザ種別が特定ユーザであり、かつ前記優先度判定手段で判定した前記アプリケーションの実行優先度が最も高い優先度である場合に、前記ダイアログを強調表示することを特徴とする情報表示装置。
【請求項７】
請求項２、４、および６のいずれか一項に記載の情報表示装置において、
音声を出力する音声出力手段をさらに備え、
前記音声出力手段は、前記ダイアログ表示手段が前記ダイアログを強調表示する場合に、前記アプリケーションから出力される使用者へのメッセージを音声出力することを特徴とする情報表示装置。
【発明の詳細な説明】
【技術分野】
【０００１】
本発明は、使用者に情報を提供するための情報表示装置に関する。
【背景技術】
【０００２】
次のような情報表示装置が特許文献１によって知られている。この情報表示装置によれば、モニタに表示したウィンドウ上にアプリケーションから出力されるメッセージを表示する。
【０００３】
【特許文献１】特開平５−８８８３９号公報
【発明の開示】
【発明が解決しようとする課題】
【０００４】
しかしながら、従来の情報表示装置によれば、単にアプリケーションから出力されるメッセージを表示するだけであるため、使用者による使用状況やメッセージの重要度に応じてメッセージの表示形態を変化させることができないという問題が生じていた。
【課題を解決するための手段】
【０００５】
請求項１に記載の発明は、アプリケーションから出力される使用者へのメッセージをモニタ上にダイアログ表示する情報表示装置であって、使用者のユーザ種別を判定するユーザ種別判定手段と、ユーザ種別判定手段で判定したユーザ種別に基づいて、ダイアログの表示形態を変化させるダイアログ表示手段とを備えることを特徴とする。
請求項２に記載の発明は、請求項１に記載の情報表示装置において、ユーザ種別判定手段は、使用者を特定ユーザと一般ユーザとに分類してユーザ種別を判定し、ダイアログ表示手段は、ユーザ種別が特定ユーザである場合に、ダイアログを強調表示することを特徴とする。
請求項３に記載の発明は、アプリケーションから出力される使用者へのメッセージをモニタ上にダイアログ表示する情報表示装置であって、実行中のアプリケーションの実行優先度を判定する優先度判定手段と、優先度判定手段で判定した前記アプリケーションの実行優先度に基づいて、ダイアログの表示形態を変化させるダイアログ表示手段とを備えることを特徴とする。
請求項４に記載の発明は、請求項３に記載の情報表示装置において、ダイアログ表示手段は、優先度判定手段で判定したアプリケーションの実行優先度が最も高い優先度である場合に、ダイアログを強調表示することを特徴とする。
請求項５に記載の発明は、アプリケーションから出力される使用者へのメッセージをモニタ上にダイアログ表示する情報表示装置であって、使用者のユーザ種別を判定するユーザ種別判定手段と、実行中のアプリケーションの実行優先度を判定する優先度判定手段と、ユーザ種別判定手段で判定したユーザ種別と、優先度判定手段で判定したアプリケーションの実行優先度との組み合わせパターンに基づいて、ダイアログの表示形態を変化させるダイアログ表示手段とを備えることを特徴とする。
請求項６に記載の発明は、請求項５に記載の情報表示装置において、ユーザ種別判定手段は、使用者を特定ユーザと一般ユーザとに分類してユーザ種別を判定し、ダイアログ表示手段は、ユーザ種別が特定ユーザであり、かつ優先度判定手段で判定したアプリケーションの実行優先度が最も高い優先度である場合に、ダイアログを強調表示することを特徴とする。
請求項７に記載の発明は、請求項２、４、および６のいずれか一項に記載の情報表示装置において、音声を出力する音声出力手段をさらに備え、音声出力手段は、ダイアログ表示手段がダイアログを強調表示する場合に、アプリケーションから出力される使用者へのメッセージを音声出力することを特徴とする。
【発明の効果】
【０００６】
本発明によれば、ユーザ種別に基づいて、ダイアログの表示形態を変化させるようにした。これによって、ユーザの種別ごとに情報表示装置の使用状況が異なることを加味して、最適な表示形態でダイアログを表示することができ、使用者はメッセージを認識しやすくなる。
【０００７】
また、アプリケーションの実行優先度に基づいて、ダイアログの表示形態を変化させるようにした。これによって、アプリケーションの実行優先度に応じて出力されるメッセージの重要度も変化することを加味して、最適な表示形態でダイアログを表示することができる。
【０００８】
さらに、ユーザ種別とアプリケーションの実行優先度との組み合わせパターンに基づいて、ダイアログの表示形態を変化させるようにした。これによって、ユーザの種別ごとに情報表示装置の使用状況が異なり、かつアプリケーションの実行優先度に応じて出力されるメッセージの重要度を変化することを加味して、最適な表示形態でダイアログを表示することができる。
【発明を実施するための最良の形態】
【０００９】
―第１の実施の形態―
図１は、第１の実施の形態における情報表示装置の一実施の形態の構成を示すブロック図である。情報表示装置１００は、例えば車両に搭載されたナビゲーション装置であり、自車両の車速を検出する車速センサ１０１と、ＧＰＳ衛星からのＧＰＳ信号を受信して自車両の現在位置を検出するＧＰＳユニット１０２と、自車両の進行方向を検出するジャイロセンサ１０３と、地図データを格納する地図ディスク１０４ａを読み取るディスク読取装置１０４と、ナビゲーション機能を提供するナビゲーションプログラムを実行し、後述する各種処理を実行する制御装置１０５と、使用者によって操作される例えばジョイスティックやタッチパネルなどの入力装置１０６と、画像を表示するモニタ１０７と、音声を出力するスピーカー１０８と、情報表示装置１００で実行されるプログラムや各種データを記憶するためのメモリ１０９とを備えている。
【００１０】
制御装置１０５は、ユーザ種別判定部１０５ａと、ダイアログ表示部１０５ｂとを備えている。ユーザ種別判定部１０５ａは、現在、情報表示装置１００を使用しているユーザが特定ユーザであるか一般ユーザであるかを判定する。なお、第１の実施の形態では、運転者を特定ユーザとし、運転者以外の同乗者を一般ユーザとする。またユーザ種別は、あらかじめ入力装置１０６を介して使用者によって指定されており、ユーザ種別判定部１０５ａは、使用者によって指定されたユーザ種別が運転者であるか同乗者であるかを判定して、ユーザ種別を判定する。
【００１１】
ダイアログ表示部１０５ｂは、ナビゲーションプログラムからのダイアログ出力要求に基づいて、モニタ１０７にメッセージをダイアログ表示する必要があると判断した場合に、ユーザ種別判定部１０５ａで判定されたユーザ種別に応じてモニタ１０７に出力するダイアログの表示形態を変化させる。
【００１２】
すなわち、ユーザ種別判定部１０５ａで判定されたユーザ種別が一般ユーザである場合には、図２（ａ）に示すように、ナビゲーションプログラムから出力されるダイアログをそのままモニタ１０７に出力してダイアログ２ａを表示する。これに対して、ユーザ種別判定部１０５ａで判定されたユーザ種別が特定ユーザである場合には、図２（ｂ）に示すように、ナビゲーションプログラムから出力されるダイアログを所定の拡大率、例えば１．５倍に拡大して、モニタ１０７に出力してダイアログ２ｂを表示する。すなわちダイアログを強調表示する。
【００１３】
これによって、一般的にモニタ１０７を注視することができないことが多い運転者に対して、拡大したダイアログ２ｂを表示して、ダイアログを確認しやすくすることができる。また、一般ユーザに対しては通常のダイアログ２ａを表示するようにしたため、モニタ１０７を注視することができる一般ユーザに対しては拡大処理が不要なことを加味して、ダイアログ表示処理の負荷を低減することができる。
【００１４】
図３は、第１の実施の形態における情報表示装置１００の動作を示すフローチャートである。図３に示す処理は、車両のイグニションスイッチがオンされて情報表示装置１００の電源がオンされると起動するプログラムとして制御装置１０５により実行される。
【００１５】
ステップＳ１０において、使用者によって、入力装置１０６を介してユーザ種別が入力されたか否かを判断する。使用者によってユーザ種別が入力されたと判断した場合には、ステップＳ２０へ進む。ステップＳ２０では、ナビゲーションプログラムからのダイアログ出力要求に基づいてダイアログを表示する必要があるか否かを判断し、ダイアログを出力する必要があると判断した場合には、ステップＳ３０へ進む。
【００１６】
ステップＳ３０では、ステップＳ１０で使用者によって入力されたユーザ種別が一般ユーザであるか、特定ユーザであるかを判断する。その結果、ユーザ種別が一般ユーザであると判断した場合には、ステップＳ４０へ進み、図２（ａ）で上述したように、ナビゲーションプログラムから出力されるダイアログをそのままモニタ１０７に出力してダイアログ２ａを表示して、ステップＳ６０へ進む。
【００１７】
これに対して、ユーザ種別が特定ユーザであると判断した場合には、ステップＳ５０へ進む。ステップＳ５０では、図２（ｂ）で上述したように、ナビゲーションプログラムから出力されるダイアログを所定の拡大率、例えば１．５倍に拡大して、モニタ１０７に出力してダイアログ２ｂを表示し、ステップＳ６０へ進む。
【００１８】
ステップＳ６０では、自車両のイグニションスイッチがオフされたか否かを判断する。自車両のイグニションスイッチがオフされないと判断した場合には、ステップＳ２０へ戻って処理を繰り返す。これに対して、オフされたと判断した場合には、処理を終了する。
【００１９】
以上説明した第１の実施の形態によれば、以下のような作用効果を得ることができる。
（１）ユーザ種別が特定ユーザ、すなわち運転者である場合には、ナビゲーションプログラムから出力されるダイアログを所定の拡大率で拡大して強調表示するようにした。これによって、運転者は、一般的にモニタ１０７を注視することができないことが多く、ダイアログを見落としやすいことを加味して、拡大したダイアログを表示し、運転者がダイアログを確認しやすくすることができる。
【００２０】
（２）また、ユーザ種別が運転者である場合には、拡大したダイアログを表示することによって、運転者はモニタ１０７に表示されたダイアログを注視する必要がなくなり、短時間の確認でダイアログ内に表示されたメッセージ内容を確認することができることから、運転操作に支障をきたすことなく、ダイアログを確認することができる。
【００２１】
（３）ユーザ種別が一般ユーザである場合には、ナビゲーションプログラムから出力されるダイアログをそのままモニタ１０７に出力するようにした。これによって、運転者以外の一般ユーザは、一般的にモニタ１０７を注視することができ、通常のダイアログでも十分に視認することができることを加味して、拡大処理を行わないようにし、ダイアログ表示処理の負荷を低減することができる。
【００２２】
―第２の実施の形態―
第１の実施の形態における情報表示装置１００は、例えば車両に搭載されたナビゲーション装置である例について説明したが、第２の実施の形態における情報表示装置１００は、メモリ１０９に各種アプリケーションプログラムを備えており、使用者の要求に応じてそれぞれのアプリケーションプログラムを実行することによって、使用者に各種機能を提供することができる。例えば、使用者によって入力装置１０５を介して、ナビゲーションアプリケーションの実行が要求された場合には、当該アプリケーションプログラムをメモリ１０９から読み込んで実行することによって、ナビゲーション機能を提供する。すなわち情報表示装置１００は、第１の実施の形態と同様にナビゲーション装置として機能する。
【００２３】
図４は、第２の実施の形態における情報表示装置の一実施の形態の構成を示すブロック図である。図４においては、第１の実施の形態における図１と同様の構成要素については、同じ符号を付与し、相違点を中心に説明する。制御装置１０５は、後述するように、各アプリケーションの実行優先度を判定する優先度判定部１０５ｃを備えている。
【００２４】
この実施の形態では、メモリ１０９にナビゲーション機能を提供するためのナビゲーションアプリケーション、運転者にスピード超過を警告するためのスピード警告アプリケーション、および乗員がゲームをすることができるゲームアプリケーションの各プログラムが格納されており、使用者はこれらのアプリケーションプログラムを任意に実行することができる場合について説明する。
【００２５】
メモリ１０９に格納された各アプリケーションプログラムには、それぞれアプリケーションが提供する機能の重要度に応じて実行優先度が設定されている。優先度は、例えば、図５に示す優先度管理テーブルで管理され、アプリケーションごとに「高」、「中」、「低」の３段階の優先度が設定される。この図４に示す例では、ナビゲーションアプリケーションの優先度は「中」、スピード警告アプリケーションの優先度は「高」、およびゲームアプリケーションの優先度は「低」と設定されている。なお、優先度管理テーブルは、あらかじめ設定され、メモリ１０９に格納されているものとする。
【００２６】
制御装置１０５は、使用者によって入力装置１０６が操作され、上述したいずれかのアプリケーションの実行が指示された場合には、メモリ１０９から該当するアプリケーションのプログラムを読み込んで実行する。同時に、優先度判定部１０５ｃによって、図５に示した優先度管理テーブルを参照して、当該アプリケーションの優先度が判定される。その後、実行したアプリケーションからのダイアログ出力要求に基づいて、モニタ１０７にダイアログを表示する必要があると判断した場合に、優先度判定部１０５ｃで判定された当該アプリケーションの優先度に基づいて、次のようにモニタ１０７に表示するダイアログの表示形態を変化させる。
【００２７】
すなわち、実行中のアプリケーションの優先度が「高」の場合には、プログラムから出力されるダイアログを所定の拡大率、例えば１．５倍に拡大して、モニタ１０７に出力することによって、ダイアログを強調表示する。また、実行中のアプリケーションの優先度が「中」の場合には、プログラムから出力されるダイアログをそのままモニタ１０７に出力する。これに対して、実行中のアプリケーションの優先度が「低」の場合には、プログラムから出力されるダイアログを１倍未満の所定の拡大率、例えば０．７倍に拡大して、すなわち縮小してモニタ１０７に出力する。
【００２８】
例えば、実行中のアプリケーションがスピード警告アプリケーションである場合には、図５の優先度管理テーブルより、優先度は「高」であることから、プログラムから出力されるダイアログを拡大してモニタ１０７に出力し、拡大ダイアログを表示する。実行中のアプリケーションがナビゲーションアプリケーションである場合には、優先度は「中」であることから、プログラムから出力されるダイアログをそのままモニタ１０７に出力し、ダイアログを表示する。また、実行中のアプリケーションがゲームである場合には、優先度は「低」であることから、プログラムから出力されるダイアログを縮小してモニタ１０７に出力し、縮小ダイアログを表示する。
【００２９】
これによって、優先度の高いアプリケーションほど、ダイアログに表示されるメッセージの重要度が高いことを加味して、実行中のアプリケーションの優先度に応じてモニタ１０７に表示するダイアログの大きさを変化させることができる。
【００３０】
図６は、第２の実施の形態における情報表示装置１００の動作を示すフローチャートである。図６に示す処理は、車両のイグニションスイッチがオンされて情報表示装置１００の電源がオンされると起動するプログラムとして制御装置１０５により実行される。なお、図６においては、図３に示す第１の実施の形態における処理と同一の処理内容については、同じステップ番号を付与し、相違点を中心に説明する。
【００３１】
ステップＳ１１において、使用者によって入力装置１０６が操作され、複数のアプリケーションのうち、いずれかのアプリケーションの実行が指示されたか否かを判定する。使用者によってアプリケーションの実行が指示されたと判断した場合には、ステップＳ１２へ進む。ステップＳ１２では、メモリ１０９から該当するアプリケーションのプログラムを読み込んで実行し、同時に、優先度判定部１０５ｃによって、図５に示した優先度管理テーブルを参照して、当該アプリケーションの優先度が判定される。その後、ステップＳ２０へ進む。
【００３２】
ステップＳ２０で実行中のアプリケーションプログラムからダイアログが出力されると判断した場合にはステップＳ３１へ進み、実行中のアプリケーションの優先度が「高」、「中」、「低」のいずれであるかを判断する。その結果、優先度が「低」であると判断した場合には、ステップＳ４１へ進み、プログラムから出力されるダイアログを縮小してモニタ１０７に出力する。優先度が「中」であると判断した場合には、ステップＳ４０へ進み、プログラムから出力されるダイアログをそのまま出力する。優先度が「高」であると判断した場合には、ステップＳ５０へ進み、プログラムから出力されるダイアログを拡大して出力する。その後、ステップＳ６０へ進む。
【００３３】
以上説明した第２の実施の形態によれば、第１の実施の形態における効果に加えて、以下のような効果を得ることができる。すなわち、アプリケーションの実行優先度が高いほど、表示するダイアログを大きく拡大するようにした。これによって、優先度の高いアプリケーションほど、ダイアログに表示されるメッセージの重要度が高いことを加味して、モニタ１０７に表示するダイアログの大きさを変化させることができる。
【００３４】
―第３の実施の形態―
第３の実施の形態では、第１および第２の実施の形態で上述した内容を組み合わせて、表示するダイアログの表示形態を変化させる。すなわち、ユーザ種別とアプリケーションの重要度とを組み合わせて、各組み合わせパターンごとに表示するダイアログの大きさを変化させる。
【００３５】
図７は、第３の実施の形態における情報表示装置の一実施の形態の構成を示すブロック図である。図７においては、第１および第２の実施の形態における図１および図４と同様の構成要素については、同じ符号を付与し、相違点を中心に説明する。制御装置１０５は、第１および第２の実施の形態で上述した、ユーザ種別判定部１０５ａと、ダイアログ表示部１０５ｂと、優先度判定部１０５ｃとを全て備えている。
【００３６】
第３の実施の形態では、特定ユーザおよび一般ユーザのユーザ種別それぞれと、アプリケーション優先度「高」、「中」、「低」のそれぞれとを組み合わせた、全通りの組み合わせパターンに対して、表示するダイアログの大きさを設定しておく。各組み合わせパターンに対応するダイアログの大きさは、例えば、図８に示すダイアログ表示管理テーブルで管理され、ユーザ種別と優先度との各組み合わせパターンに対して、表示ダイアログの大きさを「拡大」、「そのまま」、「縮小」の３段階で設定する。
【００３７】
なお、ダイアログ表示管理テーブルは、あらかじめ設定され、メモリ１０９に格納されているものとし、３段階の表示ダイアログの大きさ「拡大」、「そのまま」、および「縮小」は、第２の実施の形態で上述した拡大したダイアログ、そのまま出力したダイアログ、および縮小したダイアログに相当する。
【００３８】
そして、ダイアログ表示部１０５ｂは、実行中のアプリケーションからダイアログ出力要求があった場合には、ユーザ種別判定部１０５ａで判定したユーザ種別と、優先度判定部１０５ｃで判定した実行中のアプリケーションの優先度とに基づいて、図８のダイアログ表示管理テーブルを参照して、表示するダイアログの大きさを決定する。
【００３９】
例えば、現在使用しているユーザのユーザ種別が特定ユーザで、かつ実行しているアプリケーションがスピード警告アプリケーション（優先度：高）である場合には、図８に示すように、アプリケーションから出力されるダイアログを拡大してモニタ１０７に出力することによって、ダイアログを強調表示する。また、現在使用しているユーザのユーザ種別が一般ユーザで、かつ実行しているアプリケーションがゲームアプリケーション（優先度：低）である場合には、図８に示すように、アプリケーションから出力されるダイアログを縮小してモニタ１０７に出力する。
【００４０】
図９は、第３の実施の形態における情報表示装置１００の動作を示すフローチャートである。図９に示す処理は、車両のイグニションスイッチがオンされて情報表示装置１００の電源がオンされると起動するプログラムとして制御装置１０５により実行される。なお、図９においては、図３に示す第１の実施の形態における処理、および図６に示す第２の実施の形態における処理と同一の処理内容については、同じステップ番号を付与し、相違点を中心に説明する。
【００４１】
ステップＳ２０において、実行中のアプリケーションからダイアログが出力されると判断した場合には、ステップＳ３２へ進む。ステップＳ３２では、ステップＳ１０で入力されたユーザ種別と、ステップＳ１２で判定したアプリケーションの優先度とに基づいて、図８に示したダイアログ表示管理テーブルを参照して、表示するダイアログの大きさを判定する。
【００４２】
その結果、ダイアログを縮小して出力すると判断した場合には、ステップＳ４１へ進み、プログラムから出力されるダイアログを縮小してモニタ１０７に出力する。また、ダイアログをそのまま出力すると判断した場合には、ステップＳ４０へ進み、プログラムから出力されるダイアログをそのまま出力する。ダイアログを拡大して出力すると判断した場合には、ステップＳ５０へ進み、プログラムから出力されるダイアログを拡大して出力する。その後、ステップＳ６０へ進む。
【００４３】
以上説明した第３の実施の形態によれば、第１および第２の実施の形態における効果に加えて、以下のような効果を得ることができる。すなわち、ユーザ種別およびアプリケーションの優先度とを組み合わせた各組み合わせパターンに応じて、モニタ１０７に表示するダイアログの大きさを変化させるようにした。これによって、ユーザ種別とアプリケーションの優先度とを加味して、そのときの状況に合った大きさのダイアログを的確に出力することが可能となる。
【００４４】
―変形例―
なお、上述した実施の形態の情報表示装置は、以下のように変形することもできる。
（１）上述した第１の実施の形態では、ユーザ種別が特定ユーザの場合には、ダイアログを拡大表示する例について説明した。しかしこれに限定されず、ユーザ種別が特定ユーザの場合には、ダイアログを表示する代わりに、またはダイアログを表示すると共に、ダイアログに表示するメッセージをスピーカー１０８を介して音声出力するようにしてもよい。また、上述した第２および第３の実施の形態においても、表示するダイアログが「大」である場合には、ダイアログを表示する代わりに、またはダイアログを表示すると共にダイアログに表示するメッセージをスピーカー１０８を介して音声出力するようにしてもよい。すなわち、ダイアログを強調表示する場合には、ダイアログに表示するメッセージをスピーカー１０８を介して音声出力するようにしてもよい。
【００４５】
（２）上述した第１および第３の実施の形態では、特定ユーザを運転者とし、ユーザ種別をこの特定ユーザと一般ユーザの２つの種別に分類して、各ユーザ種別ごとにダイアログの大きさを変化させる例について説明した。しかしこれに限定されず、例えば運転者、助手席同乗者、および後部座席同乗者のようにその他のユーザ種別によって分類して、各ユーザ種別ごとにダイアログの大きさを変化させるようにしてもよい。
【００４６】
（３）上述した第２の実施の形態では、アプリケーションの優先度を「高」、「中」、「小」の３段階で設定し、それぞれの優先度に対応してダイアログの大きさを拡大、そのまま、および縮小の３段階で変化させる例について説明した。しかしこれに限定されず、アプリケーションの優先度を４段階以上に設定して、各優先度に対応するダイアログの大きさを４段階以上に変化させてもよい。
【００４７】
（４）上述した第３の実施の形態では、表示するダイアログの大きさを「拡大」、「そのまま」、および「縮小」の３段階で変化させる例について説明した。しかしこれに限定されず、４段階以上の拡大率で変化させるようにしてもよい。
【００４８】
（５）上述した第１〜第３の実施の形態では、ユーザ種別、および／またはアプリケーションの優先度に応じてモニタ１０７に表示するダイアログの大きさを変化させ、ダイアログを拡大して表示することによってダイアログを強調表示する例について説明した。しかしこれに限定されず、その他の方法によってダイアログの表示形態を変化させ、ダイアログを強調表示するようにしてもよい。例えば、ダイアログを拡大する代わりに点滅表示させたり、ダイアログの表示色を変化させたりしてダイアログを強調表示してもよい。
【００４９】
（６）上述した第１〜第３の実施の形態では、車両に搭載される情報表示装置におけるダイアログ表示を変化させる例について説明したが、これに限定されず、その他の移動体に搭載される情報表示装置や、携帯端末などに搭載される情報表示装置に適用してもよい。
【００５０】
なお、本発明の特徴的な機能を損なわない限り、本発明は、上述した実施の形態における構成に何ら限定されない。
【００５１】
特許請求の範囲の構成要素と実施の形態との対応関係について説明する。スピーカー１０８は音声出力手段に相当する。なお、以上の説明はあくまでも一例であり、発明を解釈する際、上記の実施形態の記載事項と特許請求の範囲の記載事項の対応関係に何ら限定も拘束もされない。
【図面の簡単な説明】
【００５２】
【図１】第１の実施の形態における情報表示装置の一実施の形態の構成を示すブロック図である。
【図２】モニタに表示するダイアログの具体例を示す図である。
【図３】第１の実施の形態における情報表示装置１００の動作を示すフローチャート図である。
【図４】第２の実施の形態における情報表示装置の一実施の形態の構成を示すブロック図である。
【図５】優先度管理テーブルの具体例を示す図である。
【図６】第２の実施の形態における情報表示装置１００の動作を示すフローチャート図である。
【図７】第３の実施の形態における情報表示装置の一実施の形態の構成を示すブロック図である。
【図８】ダイアログ表示管理テーブルの具体例を示す図である。
【図９】第３の実施の形態における情報表示装置１００の動作を示すフローチャート図である。
【符号の説明】
【００５３】
１００  情報表示装置
１０１  車速センサ
１０２  ＧＰＳユニット
１０３  ジャイロセンサ
１０４  ディスク読取装置
１０５  制御装置
１０５ａ  ユーザ種別判定部
１０５ｂ  ダイアログ表示部
１０５ｃ  優先度判定部
１０６  入力装置
１０７  モニタ
１０８  スピーカー
１０９  メモリ
【図１】
2006285433.tif 000003
【図２】
2006285433.tif 000004
【図３】
2006285433.tif 000005
【図４】
2006285433.tif 000006
【図５】
2006285433.tif 000007
【図６】
2006285433.tif 000008
【図７】
2006285433.tif 000009
【図８】
2006285433.tif 000010
【図９】
2006285433.tif 000011